Podtech/llm-jp-corpus-v4-ja_patent huggingface dataset:
(57)【要約】【課題】尿素ＳＣＲを用いる排気浄化装置の排気ガスに含まれるアンモニアを除去する。【解決手段】ＳＣＲ触媒７の下流に凝縮器を設置し、凝縮液をＳＣＲ触媒の上流に還流して噴霧することにより、排気ガスに含まれるアンモニアを除去する。【選択図】図１
2014109266.tif 000002
【特許請求の範囲】
【請求項１】
排気ガス通路に設置されたＳＣＲ触媒の下流に、凝縮器を設置した排気ガス浄化装置
【請求項２】
凝縮器により凝縮した凝縮液を、凝縮液還流装置を用いて還流し、排気路のＳＣＲ触媒の上流に設けられた凝縮液噴霧ノズルから噴霧する請求項１に記載の排気ガス浄化装置。
【発明の詳細な説明】
【技術分野】
【０００１】  本発明は、尿素ＳＣＲ（尿素選択還元触媒）を用いた排気浄化装置に関するものである。
【背景技術】
【０００２】  従来の排気ガス浄化装置には、排気ガス通路のＳＣＲ触媒の上流に設けられた噴霧装置から尿素水を噴霧することにより、その尿素水が熱分解されアンモニアと炭酸ガスとが生成される、そのアンモニアにより排気ガス中のＮＯｘが還元浄化される仕組みのものがあり、尿素ＳＣＲと呼ばれている。【０００３】  しかしながら、ＮＯｘを還元する化学反応に用いられずに前記ＳＣＲ触媒をすり抜けたアンモニアは排ガスとともに大気へ放出されることになる。
そこで、前記ＳＣＲ触媒の下流にすり抜けたアンモニアを酸化除去するためのアンモニア酸化触媒を設けたものがある（例えば、特許文献１参照。）。
【先行技術文献】
【特許文献】
【０００４】
【特許文献１】特開２００８−２５５８９９
【発明の概要】
【発明が解決しようとする課題】
【０００５】  しかしながら、アンモニア酸化触媒は、白金などの貴金属を用いるため高価であり、効果も限られていた。
本発明の課題は、アンモニア酸化触媒を用いずに、アンモニアが大気へ放出されることを防止するシステムを提供することである。
【課題を解決するための手段】
【０００６】  本発明は、上記課題を解決するためになされたものであって、本発明の請求項１に係る排気ガス浄化装置が採用した手段は、排気ガス通路のＳＣＲ触媒の上流に設けられた尿素水噴霧ノズルから尿素水を噴霧する排気ガス浄化装置において、前記ＳＣＲ触媒の下流に凝縮器を設置する構造となっている。【０００７】  本発明の請求項２に係る排気ガス浄化装置が採用した手段は、本発明の請求項１に記載の排気ガス浄化装置において、前記凝縮器により凝縮した凝縮液をポンプにより還流し、排気路のＳＣＲ触媒の上流に設けられた凝縮液噴霧ノズルから噴霧するものである。
【発明の効果】
【０００８】  したがって本発明の請求項１に係る消音器は、高価な貴金属のアンモニア酸化触媒を用いずに、排気ガスに含まれるアンモニアを凝縮液に吸収させることができる。
さらに本発明の請求項２に係る排気ガス浄化装置は、アンモニアを吸収した凝縮液を還流して噴霧するので、アンモニアが繰り返しＮＯｘを還元する化学反応に用いられ、効率よくＮＯｘを除去することができ、アンモニアの大気への放出を防止できる。
【図面の簡単な説明】
【０００９】
【図１】本発明に係る排気ガス浄化装置の概略図である
【図２】従来例に係る排気ガス浄化装置の概略図である
【発明を実施するための形態】
【００１０】  以下、本発明の実施の形態を図１に基づいて説明する。
【実施例】
【００１１】  本発明に係る排気ガス浄化装置は、図１に示されるように、ディーゼルエンジン１の排気ガス通路２に順次、酸化触媒３、ＤＰＦ（パティキュレートフィルタ）４、尿素水噴霧ノズル５ｃ、凝縮液噴霧ノズル６ｄ、ＳＣＲ触媒（尿素選択還元触媒）７、凝縮器８、消音器１０が配置されている。凝縮器８は、アッパータンク８ａ、冷却エレメント８ｂ、ロアタンク８ｃ、冷却ファン８ｄで構成されている。凝縮液還流装置６は、凝縮液還流管６ａ、ストレーナー６ｂ、凝縮液ポンプ６ｃ、凝縮液噴霧ノズル６ｄで構成されている【００１２】  次に本発明に係る排気ガス浄化の仕組みについて説明する。
尿素水がＳＣＲ触媒７の上流の高温の排気ガス通路で尿素水噴霧ノズル５ｃから噴霧され、加水分解によりアンモニアが生成される。ＳＣＲ触媒７では、ＮＯｘがこのアンモニアを還元剤として選択的に還元され、水と窒素に分解される。【００１３】  ＳＣＲ触媒７を通過した排気ガスには、過剰に噴霧され加水分解されなかった尿素水、過剰に生成され分解されなかったアンモニアも含まれている。この排気ガスは凝縮器８のアッパータンク８ａに流入し、冷却エレメント８ｂで冷却ファン８ｄにより冷却される。この時、排気ガスに含まれる水分が凝縮して水になり、その水に過剰に生成されたアンモニアが吸収され凝縮液になる。また、過剰に噴霧された尿素水も凝縮液になる。【００１４】  ロアタンク８ｃには、冷却エレメント８ｂを通過した排気ガスと、これらのアンモニア、尿素を含んだ凝縮液とが流入する。凝縮液は、ロアタンク８ｃの底部へたまる。凝縮液を含まない排気ガスは、このロアタンク８ｃ上部の排気ガス通路から消音器４を介して大気へ放出される。【００１５】  ロアタンク８ｃの底部には凝縮液還流管６ａが接続されている。底部にたまった凝縮液は、凝縮液ポンプ６ｃにより凝縮液還流管６ａに吸入されて凝縮液噴霧ノズル６ｄから排気ガス通路に還流され、噴霧される。【００１６】  噴霧された凝縮液に含まれる尿素、アンモニアは、再度ＮＯｘの分解に供され、その排気ガスは凝縮器８で凝縮する。この凝縮液の循環により、大気に放出される排気ガスに含まれる尿素、アンモニアを除去することができる。
【符号の説明】
【００１７】１      ・・・ディーゼルエンジン
２      ・・・排気ガス通路
３      ・・・酸化触媒
４      ・・・ＤＰＦ（パテキュレートフィルタ）
５      ・・・尿素水添加装置
５ａ    ・・・尿素水タンク
５ｂ    ・・・尿素水ポンプ
５ｃ    ・・・尿素水噴霧ノズル
６      ・・・凝縮液還流装置
６ａ    ・・・凝縮液還流管
６ｂ    ・・・ストレーナー
６ｃ    ・・・凝縮液ポンプ
６ｄ    ・・・凝縮液噴霧ノズル
７      ・・・ＳＣＲ触媒（尿素選択還元触媒）
８      ・・・凝縮器
８ａ    ・・・アッパータンク
８ｂ    ・・・冷却エレメント
８ｃ    ・・・ロアタンク
８ｄ    ・・・冷却ファン
９      ・・・アンモニア酸化触媒
１０    ・・・消音器
【図１】
2014109266.tif 000003
【図２】
2014109266.tif 000004
(57)【要約】      （修正有）【課題】連続したナットのアナログ的動きを、座金の円周に付けた爪車の溝と補助金具の爪を利用して止める。【解決手段】ボルト１のねじ山部分に回転軸と平行面に溝２を作り、ねじ山の断面と座金の内径を同じ形にした座金３でボルトが止まっているとき、座金の回転を止める。補助金具６でナット９の六角面を、補助金具の壁面７で回転を止め、補助金具の爪８が座金の爪車４にはまるようにし座金に固定する。ナットを入れ締め付けると途中で補助穴具の壁にはまり込む。そのまま補助金具とともに締め付ける。ナットが任意の位置で止まっても、補助金具の爪８と座金の周りの爪車４でナットにロックがかかる。補助金具の爪を外せば元のナットとボルトに戻る。補助金具も外れ止めがあるので外れない。【選択図】図１
2014109378.tif 000002
【特許請求の範囲】
【請求項１】
ボルト（１）のねじ山部分に回転軸と平行な面か溝（２）を作り、ねじ山の断面と座金（３）の内径（５）を同じ形にする座金（３）、次にこれをつなぐ補助金具（６）の壁面（７）でナットの六角面（９）の回転を止め、さらに補助金具の爪（８）が座金の周囲につけた爪車（４）にはまるようにする爪車ロックボルト
【請求項２】
補助金具（６）の周囲に溝（１２）を多数作り爪車の働きをさせ、座金（３）の爪（１１）にはまるようにする爪車ロックボルト
にする爪車ロックボルト
【請求項３】
補助金具（６）の内側につけた外れ止め（１０）がナット（９）によって押さえられ補助金具が外れないようにする爪車ロックボルト
【発明の詳細な説明】
【技術分野】
【０００１】  この発明はボルトとナットに関するものである。
【背景技術】
【０００２】  従来のボルトとナットは振動で緩みが生じるため、ワッシャーや座金の裏に溝をつけたり、二重ナット、ペイントロックなどで工夫して緩みを止めているがどうしても強い振動で緩みを生じ止めることができない。
【発明が解決しようとする課題】
【０００３】  ボルトとナットは機械の振動で長期使用すると、緩みが生じナットが外れたりするおそれがある。
そもそもねじは螺旋状の斜面をナットが滑り上がるような構造である。これを止めるには摩擦を強くする方法か、ねじの斜面に沿って杭を打ち止める方法である。摩擦で止める方法は強い振動や長期の振動で緩む。
ボルトとナットの２つを固定すればゆるみは止まる。しかしナットは回転し締め付けたとき任意の位置で止まる。これを固定しなければならない。
【発明の概要】
【発明が解決しようとする課題】
【０００４】  本案は、これらの緩みを生じる欠点を除くために考案したものである。機械の振動での緩みを物理的に止めるさせる方法である。
ボルトやナットはスパナやレンチで緩めたり、締めたるすることができる。逆に考えればスパナやレンチがナットを挟んだまま止まっているときは絶対にナットは緩まない。
スパナやレンチと同じ働きのも作りボルトに固定できればボルトとナットの間は固定でき回転できなくなる。
しかしナットを動かないように止めることは、ナットを自由に締めたり緩めたりすることと相反する課題である。
そこで本案は連続したナットのアナログ的動きを座金の円周に付けた爪車の溝と補助金具の爪を利用して止めるものである。
次に補助金具には外れ止めがあるのでナットが下に来ても補助金具は外れない。
【課題を解決するための手段】
【０００５】請請求項目１に係る爪車ロックボルトは、ボルト（１）のねじ山の部分に回転軸と平行面か溝（２）を作る。
座金（３）の内側にある穴（５）をボルトのねじ部分の断面と同じ形にし、座金をボルトに対し回転できなくする。
次に座金の外側に爪車（４）を作り補助金具（６）の爪（８）で止まるようにする。さらに、補助金具の壁面（７）がナットの動きを押さえる。
これで、ボルト（１）と座金（３）が固定され、座金と補助金具（６）が固定され、補助金具とナット（９）が固定され動かなくなる。
ボルトに材料を挟み座金と補助金具を付けナットを締め付ければ、途中で補助金具の壁面（７）に填るがそのまま補助金具とともに締め付け爪車の作用で回転が戻らない。【０００６】  請求項目２に係る爪車ロックボルトは、座金（３）に爪（１１）を作り、補助金具の周囲に作った溝（１２）にはめこむ形にしたものである。補助金具の周囲の溝に爪車の働きをさせたものである。小さなボルトやナットの座金は薄く、座金に爪を付けた方が効果的である。
また小さな螺旋は座金の爪（１１）も小さく力で曲がり補助金具の溝（１２）に填めた後、座金の爪を押さえて曲げ補助金具を固定することができ補助金具の外れ防止になる。【０００７】  請求項目３に係る爪車ロックボルトは、補助金具（６）の内側に付けた外れ止め（１０）がナット（９）によって押さえられ補助金具が振動で外れなくしたものである。
【発明の効果】
【０００８】  （ア）ボルト、座金、ナットは従来のものとほぼ同じ質量であり、補助金具は薄い鉄板        の加工だけで、二重ナットでボルトを締めるより軽くできる。
（イ）ボルトの方からスパナで緩めようとしても補助金具を外さないかぎり緩まないの        で、いたずら防止につながる。
（ウ）ナットの緩み止めに摩擦を利用していないので、ナットの締め付け過ぎのダメー        ジは少なりボルトの破損が少なくなる。
（エ）間違えて普通のボルトとナットと本案のボルトと混在しても使用可能である。
（オ）長期の振動で補助金具がナットにより強く押さえられ密着しても隙間からマイナ        スドライバー一つで外すことが出来る。
（カ）補助金具そのものは薄い鉄板１枚の加工のみで使い捨てが可能であり点検作業時        に交換できる。
【発明を実施するための形態】
【実施例１】
【０００９】図１の本案のボルト（１）に回転軸と平行面か平行な溝（２）にあわせ座金（３）を差し込む。これで座金がボルトに対して回転が固定される。
図２のように座金（３）と補助金具（６）を差し込み補助金具の爪（８）と座金の爪車（４）合う位置に填める。次にナット（９）で材料を締め付け、途中で補助金具の壁に填るがそのまま補助金具とともに締め付ける爪車の働きでナットは締まり緩まなくなる。
ナットを外すときは補助金具の爪を曲げ爪車の働きを止めてから緩める。
【実施例２】図１の本案のボルト（１）に図３のように座金（３）と補助金具を差し込む。これで座金がボルトに対して回転が固定される。ナット（９）を回して材料を締め付ける。これで、ボルトとナットが固定できる。
小さなボルトとナットの座金は薄く座金の爪（１１）も薄く力で曲げるとさらに外れなくなる。
【図面の簡単な説明】
【０００１０】
【図１】本案の実施例１のボルトとナットと座金、補助金具を連結したもの
【図２】座金と補助金具ナットの斜視図
【図３】ボルト座金と補助金具とナットの斜視図
【図４】断面図
【符号の説明】
【０００１１】１、ボルト本体
２、ねじ山に沿って削った平行面か平行な溝
３、座金
４、座金の爪車
５、座金の内側の穴
６、補助金具本体
７、壁面
８、爪
９、ナット
１０、外れ止め
１１、座金に付けた爪
１２、補助金具の溝
【図１】
2014109378.tif 000003
【図２】
2014109378.tif 000004
【図３】
2014109378.tif 000005
【図４】
2014109378.tif 000006
(57)【要約】【課題】  アラーム音を止めようとする意識がある時のみアラームが止まる目覚まし時計を提供する。【解決手段】  目覚まし時計のアラーム一時停止スイッチ（１）動作のＯＮＯＦＦとアラーム起動時のアラーム音を連動させる。およびアラーム一時停止スイッチ（１）の形状を握力計型アラーム一時停止スイッチ（５）、ハンドグリップ型アラーム一時停止スイッチ（６）に変更した。以上の内容を特徴とする。【選択図】図３
2014109568.tif 000002
【特許請求の範囲】
【請求項１】
目覚まし機能を有する目覚まし時計本体（４）のアラーム一時停止スイッチ（  １）のＯＮ、ＯＦＦとアラーム起動時のアラーム音とを連動させ、アラーム一時停止スイッチ（１）がＯＮの時はアラーム音を止め、アラーム一時停止スイッチ（１）がＯＦＦの時はアラーム音を鳴らす機能を特徴とする目覚まし時計（図１）（図２）。
【請求項２】
請求項１の機能を有する目覚まし時計のアラーム一時停止スイッチ（１）の形状を、手で握ることによりＯＮになる握力計型アラーム一時停止スイッチ（５）に変更した目覚まし時計  （図３）。
【請求項３】
請求項１の機能を有する目覚まし時計のアラーム一時停止スイッチ（１）の形状を、手で握ることによりＯＮになるハンドグリップ型アラーム一時停止スイッチ（６）に変更した目覚まし時計  （図４）。
【発明の詳細な説明】
【技術分野】
【０００１】  本発明はアラーム起動時、使用者がアラーム一時停止スイッチ（１）をＯＮさせている時のみアラーム音が一時停止する機能を有する目覚まし時計（図１）、およびアラーム一時停止スイッチ（１）の形状を握力計型アラーム一時停止スイッチ（５）およびハンドグリップ型アラーム一時停止スイッチ（６）に変更した目覚まし時計に関するものである。
【背景技術】
【０００２】  従来の目覚まし時計のアラーム機能の多くは、アラームを一定期間繰り返し鳴らすスヌーズ機能と目覚まし時計本体にアラーム一時停止スイッチおよびアラーム解除スイッチを有するもの。
【先行技術文献】
【０００３】  特開平  ９−２３００６７号公報
特開平１０−１３２９７３号公報
特開  ２００５−００３５３３号公報
【発明の概要】
【発明が解決しようとする課題】
【０００４】  従来の目覚まし時計のアラーム機能は使用者の眠りを浅くさせていく機能が低く、突然に鳴ったアラーム音を止めた後また眠りが深くなる場合が多い。スヌーズ機能にしても同じで止めては寝てを繰り返す。そして眠りが深いままのため、なぜ今起きる必要があるのかを把握できず、その結果寝過ごしたりしている。
【課題を解決するための手段】
【０００５】  目覚まし時計本体（４）のアラーム一時停止スイッチ（１）のＯＮＯＦＦとアラーム起動時のアラーム音のＯＦＦＯＮと連動させる。本発明は、以上の構成よりなる目覚まし時計と  この機能を有しアラーム一時停止スイッチ（１）の形状を握力計型アラーム一時停止スイッチ（５）とハンドグリップ型アラーム一時停止スイッチ（６）に変更した目覚まし時計である。
【発明の効果】
【０００６】  本発明はアラーム起動時にアラームを止めるには使用者が意識してアラーム一時停止スイッチ（１）をＯＮさせ続けなければならず、その後使用者の眠りが深くなるとアラーム一時停止スイッチ（１）をＯＮさせる力が抜けアラーム一時停止スイッチ（１）がＯＦＦに変わりアラームが再度鳴り使用者を再度起こす。例えばもっと寝ていたければ、アラーム一時停止スイッチ（１）をＯＮさせ続けていればよいことになるが、逆にこの止めている時間が続くほど使用者の眠りは浅くなる。つまりこの目覚まし時計を使用することで寝過ごすことがなくなるというのが本発明の最大の効果である。
従来の目覚まし時計のように睡眠から完全に目覚めないまま条件反射的にアラームを止め再度眠りにはいる可能性があるものとは大きな違いがある。
本発明はアラーム起動時のアラーム一時停止スイッチ（１）動作とアラーム音を連動させたことにより、アラーム音を止めようとする意識を保ち続けさせ、これにより使用者の睡眠を浅くし確実に起床できることを狙った新感覚の目覚まし時計である。
なお特許請求の範囲外となるが、より確実な起床を実現するため（図１）    （図３）  （図４）のようにアラーム解除スイッチとして、寝ているその場で手軽にアラーム解除できないアラーム解除具（３）と目覚まし時計本体（４）にアラーム解除具接続部（２）を設けた。これでアラーム解除具をアラーム解除具接続部に差し込むことでアラームが解除できるようにした。（特開平    １０−１３２９７３号公報  未審査請求によるみなし取下）
【図面の簡単な説明】
【０００７】
【図１】本発明の斜視図である。
【図２】本発明のアラーム起動からアラーム停止までのフローチャート図である。
【図３】図１のアラーム一時停止スイッチ（１）形状を握力計型アラーム一時停止スイッチ（５）に変更した本発明の斜視図である。
【図４】図１のアラーム一時停止スイッチ（１）形状をハンドグリップ型アラーム一時停止スイッチ（６）に変更した本発明の斜視図である。
【発明を実施するための形態】
【０００８】  以下、本発明を実施するための形態について説明する。
目覚まし時計本体（４）のアラーム一時停止スイッチ（１）の動作とアラーム起動時のアラーム音が連動するように、アラーム一時停止スイッチがＯＮの時はアラーム音が止まり、アラーム一時停止スイッチがＯＦＦの時はアラーム音が鳴るように設定を施す。
アラーム一時停止スイッチ（１）の形状を握力計型アラーム一時停止スイッチ（５）、ハンドグリップ型アラーム一時停止スイッチ（６）に変更する。
【符号の説明】
【０００９】１  アラーム一時停止スイッチ
２  アラーム解除具接続部
３  アラーム解除具
４  目覚まし時計本体
５  握力計型アラーム一時停止スイッチ
６  ハンドグリップ型アラーム一時停止スイッチ
【図１】
2014109568.tif 000003
【図２】
2014109568.tif 000004
【図３】
2014109568.tif 000005
【図４】
2014109568.tif 000006
(57)【要約】      （修正有）【課題】縦樋を流下する雨水を取水して雨水タンクに貯水し、庭への散水等に使用し、且つ前記雨水タンクが満水になったときは再び縦樋に戻すことができる雨水タンクを提供する。【解決手段】筒状の合成樹脂材により、内部に雨水貯水室５を設けて雨水タンクＴが形成され、且つ軒樋６に連結して下方へ垂設された縦樋７は上下に分断され、分断された上方部の縦樋7ａから、雨水貯水室５へ雨水を誘導する誘導パイプ８が、雨水貯水室５の上方部側へ折曲してその外周壁面に開口連結されると共に、誘導パイプ８より下方位置において、雨水貯水室５の外周壁面を貫通して、分断された下方部の縦樋７ｂに雨水貯水室５からの雨水を排水する排水パイプ９を開口連結する。【選択図】図１
2014109138.tif 000002
【特許請求の範囲】
【請求項１】
建物の外側に据付け固定された雨水タンクであって、筒状の合成樹脂材により、上部の開口部に蓋体を開閉自在に取付け、底部に底板を設け、且つ外周壁下方に蛇口を設置すると共に、内部に雨水貯水室を設けて雨水タンクが形成され、更に、前記建物の軒樋に連結して下方へ垂設された縦樋は上下に分断され、該分断された上方部の縦樋から、前記雨水貯水室へ雨水を誘導する誘導パイプが、該雨水貯水室の上方部側へ折曲してその外周壁面に開口連結されると共に、前記誘導パイプより下方位置において、前記雨水貯水室の外周壁面を貫通して、前記分断された下方部の縦樋に前記雨水貯水室からの雨水を排水する排水パイプを開口連結して形成することを特徴とする雨水タンク装置。
【発明の詳細な説明】
【技術分野】
【０００１】
本発明は、縦樋を流下する雨水を取水して雨水タンクに貯水し、庭への散水等に使用したり、あるいは水道断水時における非常用水として利用することができ、且つ前記雨水タンクが満水になったときは再び縦樋に戻すことができる縦樋に連結する雨水タンクに関するものである。
【背景技術】
【０００２】
雨水を雨水タンクに貯水して、断水時における水洗便所の給水タンクに給水したり、庭への散水に利用するという試みは多くなされている。また、雨水を水洗便所の給水等に利用するという技術思想につき、過去の特許文献を遡及検索すると、下記の特許文献１に示す「雨水利用装置」が開示されている。
【先行技術文献】
【特許文献】
【０００３】
【特許文献１】特開２００５−９０２１０号公報
【発明の概要】
【発明が解決しようとする課題】
【０００４】
前記特許文献１記載の発明は、雨水が貯水タンク１の貯水部１ａ溜まるよう構成されているが、前記タンク１にはオーバーフローした雨水を下水等に放流するための配管が必要であるので、その配管設置の工事が必要となり、コストが高くなるという課題があった。
【０００５】
本発明は、前記課題を解決すべくなされたものであって、縦樋から雨水を雨水タンクに取水すると共に、該雨水タンクからオーバーフローした雨水は再び前記縦樋に戻すようにして、新たに配管を備えることなく、縦樋をそのまま使用することができる雨水タンク装置を提供しようとするものである。
【課題を解決するための手段】
【０００６】
本発明は、建物の外側に据付け固定された雨水タンクであって、筒状の合成樹脂材により、上部の開口部に蓋体を開閉自在に取付け、底部に底板を設け、且つ外周壁下方に蛇口を設置すると共に、内部に雨水貯水室を設けて雨水タンクが形成され、更に、前記建物の軒樋に連結して下方へ垂設された縦樋は上下に分断され、該分断された上方部の縦樋から、前記雨水貯水室へ雨水を誘導する誘導パイプが、該雨水貯水室の上方部側へ折曲してその外周壁面に開口連結されると共に、前記誘導パイプより下方位置において、前記雨水貯水室の外周壁面を貫通して、前記分断された下方部の縦樋に前記雨水貯水室からの雨水を排水する排水パイプを開口連結して形成するという手段を採用することにより、上記課題を解決した。
【発明の効果】
【０００７】
前記構成より成る本発明によれば、縦樋から雨水を雨水タンクに簡単に取水すると共に、該雨水タンクからオーバーフローした雨水は再び前記縦樋に戻すようにして、新たに配管を備えることなく、縦樋をそのまま使用することができ、更に、雨水タンクに貯水された雨水は、タンクの下方に設置された蛇口にホースを接続して高低差の水圧により庭に散水したり、あるいは雨水をバケツ等の容器に入れて花や庭木に散水したり、または水道断水時の非常用水としても使用することができる。
【図面の簡単な説明】
【０００８】
【図１】本発明雨水タンク装置の一部を切り欠いて示す概略正面図である。
【実施例】
【０００９】
本発明の実施例につき図面に基づいて詳細に説明する。本発明雨水タンクＴは、建物Ｈの外側の地盤あるいは床面Ｇ上に据付け固定されており、塩化ビニール等の筒状の合成樹脂製材により、上部の開口部１に蓋体２を開閉自在に取付け、且つ底部に底板３を設け、更に外周壁下方に蛇口４を設置すると共に、内部に雨水貯水室５を設けて形成されている。
【００１０】
一方、建物Ｈの軒樋６に連結して下方へ垂設された縦樋７は上下に分断され、該分断された上方部の縦樋７ａから、前記雨水タンクＴの貯水室５へ雨水を誘導する誘導パイプ８が、前記雨水貯水室５の上方部側へ折曲してその外周壁面を貫通して連結され、更に、前記誘導パイプ８の下方位置において、前記雨水貯水室５の外周壁面を貫通して、前記縦樋７の分断された下方部の縦樋７ｂに、前記雨水貯水室５からオーバーフローした雨水を排水する排水パイプ９が開口連結されて形成されている。なお、前記蓋板２の形状は、開口部１が被覆できる形状であればよいが、好ましくは、図示のように円錐形状にすることが好ましい。前記円錐形状にするにより、上に雨水が溜まることもなく、手で簡単に持上げて開放することができる。
【００１１】
前記構成より成る本発明雨水タンクの作用について説明する。降水に伴い軒樋６から縦樋７に流下した雨水は、該縦樋７の上下に分断された上方部の縦樋７ａから誘導パイプ８を通って、雨水貯水室５内に流れ込んで貯水される。そして雨水貯水室５内に流れ込む雨水の量が増え、前記排水パイプ９の開口端部９ａの下面位置まで水位が上昇してオーバーフロー状態となると、前記下方室５内に流入した雨水は、前記排水パイプ９の開口端部９ａより排水パイプ９内に流入して、下方部の縦樋７ｂに流れ込み排水される。以下、この雨水の流れを繰返す。
【００１２】
前記雨水タンクＴの雨水貯水室５に溜った雨水は、目的に応じて蛇口１４を開放して使用する。前記蛇口４による排水は、該蛇口４が雨水貯水室５の下方位置に設置されているので高低差を利用して前記蛇口４より自然排水することができる。
【符号の説明】
【００１３】
Ｔ  雨水タンク
Ｈ  建物
Ｇ  地盤あるいは床面
１  開口部
２  蓋板
３  底板
４  蛇口
５    雨水貯水室
６    軒樋
７    縦樋
７ａ  分断された上方部の縦樋
７ｂ  分断された下方部の縦樋
８    誘導パイプ
９    排水パイプ
９ａ  開口端部
【図１】
2014109138.tif 000003
(57)【要約】      （修正有）【課題】本願は車の走行の燃費を大幅に削減する。【解決手段】車の駆動軸（１）にＳ極（２）とＮ極（３）の電極を交互に設置し駆動軸（１）と同時に回転できる構造を１次側とする。次に駆動軸（１）と同時に回転する電極とは別個に独立した円筒状で回転しない構造で円筒状の内側にＳ極（２）とＮ極（３）を交互に配置した構造を２次側とする。上記１次側の駆動軸（１）に設置した電極（２、３）を２次側に挿入してドッキングすれば、車走行の発電装置が完成する。次に車を始動させれば、蓄電池からの指令により駆動軸（１）と電極（２、３）は回転するので、２次側の円筒状の内側に設置してある電極（２、３）と反応して電気を蓄電池へ供給し車走行の電源として活用し、車の走行に欠かせない燃費は大巾に削減することができることを特徴とした、駆動軸活用発電装置を提供する。【選択図】図６
2014104967.tif 000002
【特許請求の範囲】
【請求項１】
車の駆動軸の回転する個所にＳ極とＮ極の電極を設置し、駆動軸が回転すると同時にＳ極、Ｎ極の電極の回転する構造を１次側とする。１次側とは別個で独立した固定型の円筒状で内側にＳ極とＮ極を交互に配列した電極を内蔵した円筒状の装置を２次側とする。電極を内蔵した２次側の円筒状装置の内部に、１次側駆動軸に設置した電極を挿入し回転に支障のない構造とする。次に車走行を「ＯＮ」にすれば駆動軸の電極が始動し、車を走行させれば１次側の電極が回転するので２次側の円筒状装置の内側に設置してある電極が反応して強力な電気を発生させて常時蓄電池へ供給し車を走行する燃費を大幅に削減することを特徴とした駆動軸活用発電装置。
【発明の詳細な説明】
【技術分野】
【０００１】本発明は、車の駆動軸の回転する個所にＮ極とＳ極を設置し、駆動軸と同時に回転できる構造を１次側とする。この駆動軸と同時に回転する電極と、別個に独立した円筒状で回転のしない構造体を形成し内部に挿入できる構造体を２次側とする。その円筒状の構造体の内側をＳ極Ｎ極を交互に電極が設置されている構造とした構造物の中を１次側の駆動部付き電極を２次側の電極付き円筒状の構造体の中に挿入しドッキングさせ１次側の回転に支障のない構造とする。次に運転席より始動を「ＯＮ」にすれば蓄電池からの指令により１次側の車の駆動軸のＳ極とＮ極が回転し、円筒状で回転しない構造物の内側に設置してあるＳ極とＮ極の電極が反応して強力な電気が発生する、その発生した電気を蓄電池へ供給し車走行の原動力である電気を供給するので、車の走行に必要な燃費は大巾に削減することができることを特徴とした駆動軸活用発電装置
【背景技術】
【０００２】該当なし
【先行技術文献】
【０００３】該当なし
【発明の概要】
【０００４】車が駆動する回転軸にＳ極とＮ極を１次側とし、２次側の内側にもＳ極とＮ極の電極を設置し  ２次側内部に１次側を挿入して回転することにより  電気を発生させて蓄電装置に供給することを特徴とした駆動軸活用発電装置。
【問題を解決するための手段】
【０００５】車の駆動する回転軸に、Ｓ極とＮ極の電極を交互設置し、その電極付きの回転軸を挿入できる固定型の円筒状の内側にＳ極とＮ極を交互に配列した電極が設置されている構造体を設ける。その回転軸に設置してある電極が回転することにより、固定式の円筒状内部の電極が反応して強力な電気を発生させ蓄電池に送電して、車走行の原動力となる電気を供給することを特徴とした駆動軸活用発電装置
【０００６】上記の解決手段により、今までの燃費の負担を大巾に削減されたのが本願である。
【発明の効果】
【０００７】車の駆動する回転軸に、Ｓ極とＮ極の電極を交互に設置し構造を１次側とし、１次側が挿入できる固定型の円筒状の内側にＳ極とＮ極を交互に配列した電極が設置されている構造体を２次側とする。１次側を２次側に挿入し、ドッキングさせ１次側の駆動軸の電極の回転に支障のない構造とする。次に運転席より始動スイッチを「ＯＮ」にすれば蓄電池からの指令により１次側の駆動軸つき電極は回転する。２次側の固定型で円筒状の内側の電極が反応し電気を発生させて、車走行の原動力となる電気を蓄電池へ常時供給して、車走行の燃費を大幅に削減することを最大の特徴とし、その効果は社会に著しく貢献できる発明が本願である。
【図面の簡単な説明】
【０００８】
【図１】は、車の駆動軸にＳ極とＮ極の電極を設置し、駆動軸と同時に回転する構造の１次側の斜視図。
【図２】は、円筒状の内側にＳ極とＮ極の電極を交互に設置し、円筒状で固定型とし、その内部に、図１の回転体が挿入できる構造の固定型発電装置の２次側の斜視図。
【図３】は，１次側の駆動軸にＳ極とＮ極を交互に設置した正面図。
【図４】は、２次側の１次側の駆動軸の電極を挿入出来る構造のした２次側正面図。
【図５】は，１次側の駆動軸の電極を２次側に挿入したことを示す正面図。
【図６】は、１次側の駆動軸に設置した電極を２次側に挿入してドッキングした発電装置であり、１次側の駆動軸を始動させれば２次側の円筒状の内側に設置されている電極が反応して強力な電気が発生し蓄電池へ送電することを示す斜視図。
【符号の説明】
【０００９】（１）車の駆動軸、（２）電極のＳ極、（３）電極のＮ極、（４）固定型円筒状装置（５）＋電流、（６）−電流、（７）車体接続固定板、
【図１】
2014104967.tif 000003
【図２】
2014104967.tif 000004
【図３】
2014104967.tif 000005
【図４】
2014104967.tif 000006
【図５】
2014104967.tif 000007
【図６】
2014104967.tif 000008
(57)【要約】【課題】    収納する靴の出面を抑え奥行きを浅くし、設置場所の正面を広くとり、圧迫感を感じさせない靴収納スタンドを提供する。【解決手段】    直立板１ａに靴５のヒール部と靴５の裏面適宜部を受ける靴保持具２の上側突起部２ａと下側突起部２ｂを横方向に鋭角に取り付ける。【選択図】図２
2014104338.tif 000002
【特許請求の範囲】
【請求項１】
直立板に靴のヒール部と靴の裏面適宜部を受ける靴保持具の上側突起と下側突起部を横方向に鋭角に取り付けることを特徴とする靴収納スタンド。
【発明の詳細な説明】
【技術分野】
【０００１】  本発明は、奥行きの浅い靴収納スタンドに関する。
【背景技術】
【０００２】  従来、靴の収納は靴箱や、棚の手前を下げて斜めに数段配列したシューズラックに収納するのが主流であった。又、奥行きの浅い靴収納庫として、回動する扉に靴を載置し、靴を立てて収納するフラップシューズラック（商品名）もあった。
【発明の概要】
【発明が解決しようとする課題】
【０００３】  ところが、上記靴箱やシューズラックは、設置スペースを要し、奥行きも深く、設置場所の正面を狭くするため圧迫感を感じていた。【０００４】  また、フラップシューズラックは、回動する扉を開いて靴を載置し、その扉を閉めると靴は立てに収納される構造で、このフラップシューズラックの奥行きは靴の高さと収納庫の構造上の厚みが加わる奥行きとなるため、奥行きを浅くする目的のこのフラップシューズラックは、高さのあるハイヒールは収納出来ず、収納する靴の高さが非常に制限されていた。【０００５】  本発明は、斯かる事情に鑑みてなされたもので、従来の前記問題を一挙に解決することが出来る奥行きを浅く、設置場所の正面を広く確保し、圧迫感を感じない靴収納スタンドを提供することを目的とする。
【課題を解決するための手段】
【０００６】  前記目的を達成するために本発明の請求項１は、直立板に靴のヒール部と靴の裏面適宜部を受ける靴保持具の上側突起部と下側突起部を横方向に鋭角に取り付けることを特徴とする。
【発明の効果】
【０００７】  本発明によれば、上側と下側を突起部とする略コの字状の靴保持具が直立板に取り付けられている。詳しくは、この靴保持具の上側突起部と下側突起部を横方向に鋭角の向きに取り付けている。更にこの靴保持具の上側突起部には靴のヒール部を受ける吊り紐が装着されている。靴の収納はヒール部を吊り紐に差し込み靴を吊るした状態で収納する。この吊るして収納した靴は鋭角に取り付けた靴保持具に受けられるため、その靴保持具の角度に同じく収納される。つまり斜めに収納され、横方向に配列する靴の一部が重なった状態に収納される。このため靴の略横幅に近い奥行きで浅く収納出来る。つまり設置場所の壁からの出面を抑えて収納出来、よって設置場所の正面を広く確保出来るため、圧迫感を感じない。【０００８】  尚、本発明の「ヒール部」とはハイヒール靴のヒールのように靴保持具に装着した吊り紐に差し込める形状でその部分を言う。又、明細書で、奥行きの「浅い」とは寸法が短い意味で、奥行きの「深い」とは寸法が長いとの意味ある。
【図面の簡単な説明】
【０００９】
【図１】  本発明の靴収納スタンドの斜視図
【図２】  本発明の靴収納スタンドの一部に靴を収納した状態を示す斜視図
【図３】  本発明の靴収納スタンドの一部に靴を収納した状態の他例を示す斜視図
【発明を実施するための形態】
【実施例】
【００１０】  本発明の実施の形態を添付図面に例示した本発明の実施例に基づいて、以下に具体的に説明する。【００１１】  添付図面において、図１は直立板１ａに略コの字形をした靴保持具２が配列されている。詳しくは、この靴保持具２の上側突起部２ａと下側突起部２ｂは手前側に突起した状態で更に横方向に鋭角の向きに取り付けられている。又、該靴保持具２の上側突起部２ａには、靴５のヒール部を掛ける吊り紐３が装着されている。【００１２】  この吊り紐３は、収納靴５の上下調整と該靴５のヒール部を滑りにくくし、落下防止の効果がある。又、ヒール部の太さにも対応出来る。【００１３】  靴５の収納は、靴保持具２の上側突起部２ａに装着された吊り紐３に靴５のヒール部を掛け、その掛けた靴５の裏側は靴保持具２の下側突起部２ｂに受けられるのでこの上側突起部２ａと下側突起部２ｂの角度と同じくその靴５は斜めに収納される。【００１４】  よって斜めに収納される靴５は、横方向に収納される靴５の一部が重なる状態に収納される。このため収納する靴５の靴幅に近い状態で奥行きの浅い状態に収納され、又、直立板の幅を短縮くすることが出来る。【００１５】  図２は、靴収納スタンド１の一部に靴５を収納している。靴５は横方向に斜めに収納され、靴５の側面一部が横方向に収納された靴５と重なる状態に収納されている。【００１６】  これにより靴５の収納は靴５の幅に近い奥行きで収納される。つまり、収納される靴５の幅に近い奥行きで浅く収納ができ、設置場所の正面を広く確保出来る。このため狭さと圧迫感を解消出来る。【００１７】  図３は、靴収納スタンド１の靴５収納の他例を示している。ここでは一部の靴保持具２を外しロングブーツ６を収納し、更に一部には靴保持具２の上側突起部２ａと下側突起部２ｂに靴載置プレート４を設置し該靴載置プレート４に靴５を載置し収納している。【００１８】  上記靴保持具２に靴載置プレート４を設置した場合、収納する靴５のヒール及びソールの形状にとらわれず収納出来る。【００１９】  又、ロングブーツ６の収納は収納部の靴保持具２を外し上方他の靴保持具２に吊りクリップ７の紐部を掛けて吊り収納している。【００２０】  上記ロングブーツ６の収納は、靴保持具２の外し方によって一足を合せて収納すると２足の収納が出来る。【００２１】  以上、本発明の実施例について説明したが、本発明は、その実施例に限定されることなく、本発明の範囲内で種々の実施例が可能である。例えば、前記実施例では靴保持具２に吊り紐３を装着しているがこの吊り紐３を挿着せず直接ヒールを上側突起部２ａに掛けても良い。また靴保持具２は上側突起部２ａと下側突起部２ｂとを一体加工しているが上側突起部２ａと下側突起部２ｂを別々に製作しそれぞれ単独にとりつけても良い。（図示せず）
【符号の説明】
【００２２】１  ．．．．．靴収納スタンド
１ａ．．．．．直立板
２  ．．．．．靴保持具
２ａ．．．．．上側突起部
２ｂ．．．．．下側突起部
３  ．．．．．吊り紐
４  ．．．．．靴載置プレート
５  ．．．．．靴
６  ．．．．．ロングブーツ
７  ．．．．．吊りクリップ
【図１】
2014104338.tif 000003
【図２】
2014104338.tif 000004
【図３】
2014104338.tif 000005
(57)【要約】【課題】  この発明は、本体の上部中央部分に凸部を有する柄部本体に、曲線部を有する針金を付けた洗米具を提供する。【解決手段】  柄部本体の上部中央部分に凸部を設け、本体に、針金を付けることを特徴とする。【選択図】図１
2014104331.tif 000002
【特許請求の範囲】
【請求項１】
本体の上部中央部分に凸部を有する柄部本体に、曲線部を有する針金を付けた洗米具。
【発明の詳細な説明】
【技術分野】
【０００１】  この発明は、本体の上部中央部分に凸部を有する柄部本体に、曲線部を有する針金を付けた洗米具に関するものである。
【背景技術】
【０００２】  従来、表面に多数の開口部を設けた、中空の円筒型の洗米具はあった。
また、米粒表面を効果的に研削する米研ぎ具もあった。
【発明の開示】
【発明が解決しようとする課題】
【０００３】  これは、次のような問題点があった。
（イ）中空の円筒形は、内部が複雑で加工が難しかった。
（ロ）洗米には重量があり、手で回転させるのに、大変な腕力が必要であった。
（ハ）米に過大な力が加わり、米粒の割れが出てきた。
本発明は、これらの欠点を解決する為になされたものである。
【課題を解決するための手段】
【０００４】  本体の上部中央部分に凸部を設けた柄部本体に、曲線部を有する針金を付けたものである。
本発明は、以上のような構成よりなる洗米具である。
【発明の効果】
【０００５】  本発明によると、洗米後、容器の水を、２回〜３回変えることにより白米ときれいな水になる。
洗米をするとき、特別に力を入れなくても大丈夫である。
洗米をするとき、米粒に傷を付けることがない。
【発明を実施するための最良の形態】
【０００６】  以下、本発明の実施の形態について説明する。
（イ）プラスチック製の柄部本体（１）の上部中央部分に、６個位の円すい形状の凸部（    ３）を設ける。
（ロ）しゃもじ形状をした柄部本体（１）の上部に、曲線部を有する針金（２）とそれを    連げる水平部を有する針金（円型）を設ける。
（ハ）針金（２）は、凹部（４）で固着され外圧力で変形することはない。
（ニ）針金（２）は、ステンレス製の材質なので、さびたりする事がない。
（ホ）上部は、たとえば、針金１２本（２本１組）でＡ−Ａ´部（８）、線分のように連    げる。
本発明は、以上の構成である。
これを使用するときは、図４のような、容器（７）に白米（６）を入れる。
柄部本体（１）を上下左右に回転させてる。
上部の凸部（３）と針金（２）でかきまぜる。
その効果により、生じるきれいな白米を提供できる。
【図面の簡単な説明】
【０００７】
【図１】  本発明の針金４本の斜視図である。
【図２】  本発明のＡ−Ａ´部の付いた正面図である。
【図３】  本発明のＡ−Ａ´部の付いた側面図である。
【図４】  本発明の他の実施例を示した斜視図である。
【符号の説明】
【０００８】１  柄部本体
２  針金
３  円すい型凸部
４  凹部
５  穴部
６  白米
７  容器
８  Ａ−Ａ´部
【図１】
2014104331.tif 000003
【図２】
2014104331.tif 000004
【図３】
2014104331.tif 000005
【図４】
2014104331.tif 000006
(57)【要約】      （修正有）【課題】子供から大人まで、早く歩けて、疲れがたい履物又は中敷を提供する【解決手段】土踏まず部分を突起させ形成する。足を載せた時、従来品の履物又は中敷と異なり土踏まず部分が地面に着地する為、かかと、拇指球が地面から浮き上る。【選択図】図２
2014104339.tif 000002
【特許請求の範囲】
【請求項１】
土踏まず部分を突起させる事により、かかと、拇指球が地面にふれない事を特徴とした履物又は中敷
【請求項２】
足型中央に土踏まず状に沿った突起を形成し溝又は穴を取り付ける、土踏まず部分が地面に着地する事を特徴とした履物又は中敷
【発明の詳細な説明】
【技術分野】
【０００１】本発明は、土踏まず部分の突起を、土踏まず状に沿って形成し更に溝又は穴を取り付ける事により圧迫感が少なくなり拇指球にあそびが出来る為、筋力を大きく、動かす事が出来疲れず早く歩ける履物又は中敷に関するものである
【技術背景】
【０００２】日常に、運動、レジャー等に使用される履物中敷はあった
【先行技術文献】
【発明の内容】
【発明が解決しようとする課題】
【０００３】本発明は従来品にない発見により、従来品より、さらに早く歩けて、しかも身体に負担のかからない履物又は中敷である。
【課題を解決する為の手段】
【０００４】請求項１に記載の本発明、履物又は中敷は、土踏まず部分を突起させ形成する。足を載せた時、従来品の履物又は中敷と異なり土踏まず部分が地面に着地する為、かかと、拇指球が地面から浮き上る事を特徴とする履物又は中敷
【０００５】請求項２に記載の本発明、履物又は中敷は、土踏まず部分の突起を土踏まず状に沿って形成する。その土踏まず状に沿った突起に溝又は穴を取り付ける。土踏まず部分が地面に着地する事を特徴とする。
【発明の効果】
【０００６】請求項１に記載の本発明、履物又は中敷は、土踏まず部分が突起に形成されている為、履いた時、かかと、拇指球が地面から浮き上る為、踏み出す時、指先、指腹、拇指球と、順次、地面をける事が出来るから拇指球の筋肉を大きく、動かす事が出来る為、歩巾が自然と大きくなり早く歩ける
【０００７】請求項２に記載の本発明履物又は中敷は、溝、又は穴を取り付け、土踏まず状に沿って形成された突起により、土踏まず部分が地面に着地出来る。その土踏まず状に沿って形成された突起に取り付けた溝又は穴により、歩く時、又は走る時の衝撃が吸収される為、身体への負担が軽減されるから疲れがたい
【図面の簡単な説明】
【０００８】
【図１】本発明履物又は中敷着用の側面図である
【図２】本発明履物又は中敷着用の正面図である。
【図３】本発明履物又は中敷の平面図である
【発明を実施する為の最良の形態】
【０００９】以下、本発明を図に示す実施形態図１〜３に基づき、説明をする。ただし以下の実施する為の形態は本発明、履物又は中敷の一例として説明するものであり、この説明の図の項に限定されるものではない
【００１０】図１は、本発明、履物又は中敷の着用図の側面図である
従来品の履物又は中敷と違い土踏まずが地面に着地されるように形成された履物又は中敷である。土踏まず部分が突起されている為、かかと、拇指球が地面から浮き、歩く時、シーソー式の如く、作動する為、指先、指腹、拇指球と順次、地面をけっぱる為、従来品より自然と歩巾が大きくなり早く歩ける。
【００１１】図２は、本発明履物又は中敷着用図の正面図である
土踏まず部分を土踏まず形状に沿って形成する事によりＡ面とＢ面に圧力が大きくかゝり、足のぶれが少なくなる
更に溝又は穴を取り付ける事により、土踏まずにかゝる圧力が軽減される為、身体にかかる衝撃が少なくなり疲れがたい
【００１２】図３は、本発明履物又は、中敷の平面図である。
【産業上の利用可能性】
【００１３】土踏まず部分の突起を土踏まず状に形成し溝又は穴を取り付ける事により、歩く時、走る時、足を大きくローリング出来、かかと、拇指球、足全体にかかる衝撃が軽減され、長時間歩けるようになる  又、足の回転が早くなる、子供から年輩の方々まで、いろんな場面において利用出来る履物又は中敷である
【符号の説明】１  拇指球
２  足
３  Ａ面
４  Ｂ面
５  履物又は中敷
６  土踏まず状に沿った突起
７  溝又は穴
８  かかと
【図１】
2014104339.tif 000003
【図２】
2014104339.tif 000004
【図３】
2014104339.tif 000005
(57)【要約】【課題】  現在、使用されているネックレス、ブレスレットは留め金具に挿入するタイプでパーツ同士をつなぐ目的だけで付けにくく高齢者向けでなかったので、それを改良した留め金具を提供する。【解決手段】    ネックレス（９）、ブレスレット（１０）の留め金具の場所に本発明の留め金具をとりつけ、円筒（１）の上面にボッチ（６）を設けひも（５）がついている右の「ヒキワ」（３）を引っぱるとひも（５）が出てくるので頭囲よりかぶったり、手首に装着しボッチ（６）を押すとひも（５）は円筒（１）の中に挿入されるネックレス（９）、ブレスレット（１０）の留め金具。ネックレス（９）、又はブレスレット（１０）を輪の状態にしひも（５）が円筒（１）より出て装着を容易にする特徴をもつ留め金具。【選択図】図１
2014104332.tif 000002
【特許請求の範囲】
【請求項１】
ネックレス（９）、ブレスレット（１０）の留め金具の場所に本発明の留め金具をとりつけ、円筒（１）の上面にボッチ（６）を設けひも（５）がついている右の「ヒキワ」（３）を引っぱるとひも（５）が出てくるので頭囲よりかぶったり、手首に装着しボッチ（６）を押すとひも（５）は円筒（１）の中に挿入されるネックレス（９）、ブレスレット（１０）の留め金具。
【発明の詳細な説明】
【技術分野】
【０００１】    本発明は、現在、使用されているネックレス、ブレスレットは留め金具に挿入するタイプで付けにくく高齢者向けでなかったので、それを改良したネックレス、ブレスレットの留め金具に関するものである。
【背景技術】
【０００２】    いままでの留め金具は、「ヒキワ」と「丸かん」、「マンテル」と「丸かん」などパーツ同士をつなぐ役目のものばかりである。
【先行技術文献】
【特許文献】
【０００３】
【特許文献１】  特開２０１０−２４６７０４号公報
【特許文献２】  特開２０００−３１５０２８号公報
【特許文献３】  特開２００８−３６３８８号公報
【発明の概要】
【発明が解決しようとする課題】
【０００４】（イ）現在、使用されているネックレスの留め金具は、首の前後に留め金具を持ってきて      、指で「ヒキワ」と「丸かん」、「マンテル」と「丸かん」など感覚で丸穴に入れ      るので留めづらい。
（ロ）現在、使用されているネックレスは留め金具を留めるとき、目視での確認が難しい      。
（ハ）現在、使用されているネックレス、ブレスレットは留め金具に挿入するタイプで付      けにくく高齢者向けでない。
（ニ）高齢になり目や感覚が衰えるとネックレスやブレスレットの着用が難しい。
（ホ）「ヒキワ」と「丸かん」、「マンテル」と「丸かん」にしっかり留まっていないと      落下する危険がある。
（ヘ）ブレスレットの留め金具を留める時、両手が使えないので挿入しずらい。
本発明は、以上の問題点を解決するためになされたものである。
【課題を解決するための手段】
【０００５】  ネックレス（９）、ブレスレット（１０）の留め金具の場所に本発明の留め金具をとりつける。円筒（１）の上面にボッチ（６）を設けひも（５）がついている右の「ヒキワ」（３）を引っぱるとひも（５）が出てくるので頭囲よりかぶったり、手首に装着する。ボッチ（６）を押すとひも（５）は円筒（１）の中に挿入される。
以上の構成よりなるネックレス（９）、ブレスレット（１０）の留め金具。
【発明の効果】
【０００６】（イ）留め金具をネックレス、又はブレスレットと一体化し輪の状態にできる金具は今ま    でにないアイデアである。
（ロ）従来の既存のネックレス、又はブレスレット留め金具はそのままにし「丸かん」が    左右についていれば、本発明の留め金具を別のネックレス、又はブレスレットなどに    も使用することができる。
（ハ）この留め金具ひとつあれば既存のネックレス、又はブレスレットにも使いまわしが    できるので経済的である。
（ニ）ストッパーが付いているので首や手首が絞まることはない。首や手首を保護するも    のを同時に付ける。
（ホ）ひもがアジャスターの代わりをするのでネックレスやブレスレットの長さ調整がで    きる。
【図面の簡単な説明】
【０００７】
【図１】  本発明の側面図
【図２】  本発明の側面透視図
【図３】  本発明の使用状態を示す正面図（ネックレス）
【図４】  本発明の使用状態を示す側面図（ブレスレット）
【本発明を実施するための形態】
【０００８】  以下、本発明の実施の形態を説明する。
（イ）円筒（１）の側面に左の「ヒキワ」（２）、右の「ヒキワ」（３）、ひも通し穴（      ４）ひも（５）を設ける。
（ロ）円筒（１）の上面にボッチ（６）を設ける。
（ハ）円筒（１）の内部に歯車（７）がありボッチ（６）を押すとひも（５）が歯車（７      ）に巻かれる。
（ニ）ネックレス、又はブレスレットに左の「ヒキワ」（２）、右の「ヒキワ」（３）で      本発明を装着し既存の留め金具に付け輪の状態にすることができる。
（ホ）この留め金具はロータリーメジャー、ヨーヨーの機動を参考にしたものである。
本発明は以上のような構造である。
本発明を使用する時は首に保護するもの（８）を装着して、本発明の左の「ヒキワ」（２）と右の「ヒキワ」（３）をネックレス（９）に装着し輪の状態にする。ひも通し穴（４）の方から右の「ヒキワ」（３）を引くとひも（５）が出て伸びるので頭囲からかぶることができる。ボッチ（６）のついている円筒（１）の方を顔面の前に持ってくる。ボッチ（６）を押すとひも（５）がひも通し穴（４）から歯車（７）の回転により中に挿入されていく。ひも（５）にはストッパーが付いているので首が締まりすぎることはない。長さの調整ができたら本発明の円筒（１）をつかみ首の後ろにもっていき、ネックレス（９）の部分を前にする。その後保護するもの（８）を取り外す。  ブレスレット（１０）も同様の操作をして装着する。
【符号の説明】
【０００９】  １  円筒
２  左の「ヒキワ」
３  右の「ヒキワ」
４  ひも通し穴
５  ひも
６  ボッチ
７  歯車
８  保護するもの
９  ネックレス
１０  ブレスレット
【図１】
2014104332.tif 000003
【図２】
2014104332.tif 000004
【図３】
2014104332.tif 000005
【図４】
2014104332.tif 000006